(57)【特許請求の範囲】
【請求項１】
車輛に搭載される端末装置に、ＧＰＳを用いて当該車輛の現在位置を測位する測位手段と、端末装置の識別情報が予め登録された識別情報登録手段と、測位手段により求めた車輛の現在位置を含むデータを無線伝送路を通して管理センタ装置に伝送する通信手段とを設け、各車輛それぞれの端末装置から伝送されたデータを識別情報毎に分類して記録する管理手段を管理センタ装置に設け、端末装置から伝送する通信データのデータフォーマットの違いに応じたバージョン番号を当該通信データのヘッダ部若しくはデータ部に付加し、管理手段は、端末装置から伝送されてくる通信データを当該通信データに付加されているバージョン番号に対応したデータフォーマットで読み取って取得するものであり、端末装置にはメモリカードとの間でデータを授受可能とするカードインタフェースが設けられ、メモリカードには当該メモリカードが接続されている端末装置のバージョン番号が書き込まれており、端末装置は、メモリカードにデータを書き込む機能と、通信データにおけるデータ部の意味付けを規約するバージョン番号をメモリカードに書き込む機能とを有し、管理手段は、メモリカードに書き込まれている端末装置のデータを端末装置から管理センタ装置へ送信させる機能と、前記データ部の意味付けを規約するバージョン番号に応じてデータ部を解釈する機能とを有し、端末装置から管理センタ装置に対し伝送するデータとして車輛の現在位置の他に、車輛の移動速度を検出する車速センサ、車輛のドアの開閉状態を検出するドアセンサによって検出される情報を含んでいることを特徴とする車輛運行管理装置。
【発明の詳細な説明】
【０００１】
【発明の属する技術分野】
本発明は、車輛にＧＰＳを用いた測位装置を搭載しておき、車輛と管理センタ装置との間で無線伝送路を用いた通信を行うことによって管理センタ装置において車輛の運行を管理する車輛運行管理装置に関するものである。
【０００２】
【従来の技術】
従来より、複数個のＧＰＳ用の衛星からの電波信号を受信することによって、受信位置を特定することができるＧＰＳ（Global  Positioning  System）を用いた測位装置が知られており、カーナビゲーションなどの技術に利用されている。車輛運行管理装置は、この種の測位装置および端末装置を車輛（主としてトラックやバスのような輸送用車輛）に搭載し、各車輛が測位装置により検出した位置情報を各車輛それぞれの端末装置から管理センタ装置へ無線伝送路を通して伝送するものであり、管理センタ装置で車輛の位置を知ることにより、車輛運行の管理が可能になるのである。
【０００３】
【発明が解決しようとする課題】
しかしながら、従来の車輛運行管理装置では、端末装置から管理センタ装置へ伝送される通信データのデータフォーマットの異なる端末装置が混在する場合には、同一の管理センタ装置で処理を行うことができなかった。そこで、データフォーマットが異なる複数種類の端末装置が混在する場合には、データフォーマット毎に管理センタ装置を設置する必要があり、設備投資が増えてしまうという不具合があった。また、端末装置毎に対応する管理センタ装置へ通信データの送信が正常に行われるか否か確認する必要が生じるという不具合があった。
【０００４】
本発明は上記事由に鑑みて為されたものであり、その目的は、データフォーマットが異なる端末装置から伝送されるデータを１つの管理センタ装置において管理することが可能な車両運行管理装置を提供することにある。
【０００５】
【課題を解決するための手段】
請求項１の発明は、上記目的を達成するために、車輛に搭載される端末装置に、ＧＰＳを用いて当該車輛の現在位置を測位する測位手段と、端末装置の識別情報が予め登録された識別情報登録手段と、測位手段により求めた車輛の現在位置を含むデータを無線伝送路を通して管理センタ装置に伝送する通信手段とを設け、各車輛それぞれの端末装置から伝送されたデータを識別情報毎に分類して記録する管理手段を管理センタ装置に設け、端末装置から伝送する通信データのデータフォーマットの違いに応じたバージョン番号を当該通信データのヘッダ部若しくはデータ部に付加し、管理手段は、端末装置から伝送されてくる通信データを当該通信データに付加されているバージョン番号に対応したデータフォーマットで読み取って取得するものであり、端末装置にはメモリカードとの間でデータを授受可能とするカードインタフェースが設けられ、メモリカードには当該メモリカードが接続されている端末装置のバージョン番号が書き込まれており、端末装置は、メモリカードにデータを書き込む機能と、通信データにおけるデータ部の意味付けを規約するバージョン番号をメモリカードに書き込む機能とを有し、管理手段は、メモリカードに書き込まれている端末装置のデータを端末装置から管理センタ装置へ送信させる機能と、前記データ部の意味付けを規約するバージョン番号に応じてデータ部を解釈する機能とを有し、端末装置から管理センタ装置に対し伝送するデータとして車輛の現在位置の他に、車輛の移動速度を検出する車速センサ、車輛のドアの開閉状態を検出するドアセンサによって検出される情報を含んでいることを特徴とする。この請求項１の発明では、端末装置から伝送する通信データのデータフォーマットの違いに応じたバージョン番号が当該通信データのヘッダ部若しくはデータ部に付加され、管理手段では端末装置から伝送されてくる通信データを当該通信データに付加されているバージョン番号に対応したデータフォーマットで読み取って取得するので、データフォーマットの異なる端末装置からの通信データを１つの管理センタ装置で管理することが可能になり、端末装置から管理センタ装置に対し伝送するデータとして車輛の現在位置の他に、車輛の移動速度を検出する車速センサ、車輛のドアの開閉状態を検出するドアセンサによって検出される情報を含んでいるので、車輛の位置だけでなく車速センサおよびドアセンサの出力データの履歴を管理することが可能となる。
【０００６】
また、請求項１の発明では、端末装置にはメモリカードとの間でデータを授受可能とするカードインタフェースが設けられ、メモリカードには当該メモリカードが接続されている端末装置のバージョン番号が書き込まれており、端末装置は、メモリカードにデータを書き込む機能を有し、管理手段は、メモリカードに書き込まれている端末装置のデータを端末装置から管理センタ装置へ送信させる機能を有するので、データフォーマットの異なる端末装置にて発生してメモリカードに書き込まれたデータを１つの管理センタ装置で把握することが可能になる。
【０００７】
また、請求項１の発明では、端末装置は、通信データにおけるデータ部の意味付けを規約するバージョン番号をメモリカードに書き込む機能を有し、管理手段は、前記データ部の意味付けを規約するバージョン番号に応じて前記データ部を解釈する機能を有するので、メモリカードに記憶され端末装置から伝送される通信データのデータフォーマットが同じであっても管理センタ装置ではデータ部の意味付けを規約するバージョン番号に応じてデータ部の意味付けを解釈することが可能になる。
【０００８】
【発明の実施の形態】
（参考例１）
本参考例の車輛運行管理装置において車輛に搭載される端末装置１は、図１に示すように、衛星からの電波信号を受信するＧＰＳアンテナ１１を備え、ＧＰＳアンテナ１１で受信された電波信号は、測位装置（測位手段）を実現するＧＰＳエンジン１２に入力されることによって、車輛の位置情報が求められる。端末装置１から管理センタ装置３に対しては、車輛の位置だけではなくセンサ（例えば、車輛の移動速度を検出する車速センサ、車輛のドアの開閉状態を検出するドアセンサなど）２２によって検出される各種情報も伝送される。端末装置１にはマイクロコンピュータ（以下、マイコンと略称する）１０が設けられており、ＧＰＳエンジン１２で検出した位置情報やセンサ２２の出力データはマイコン１０を通して半導体メモリよりなる記憶装置１３に書き込まれる。なお、センサ２２の出力データはセンサ用インタフェース１６を介してマイコン１０へ取り込まれる。また、端末装置１には、携帯情報端末であるＰＤＡ２３との間でデータを授受可能とする外部インタフェース１７も設けられている。
【０００９】
記憶装置１３に格納された各種データは、管理センタ装置３からの要求があったときに読み出されて管理センタ装置３へ伝送される。つまり、車輛の位置情報やセンサ２２の出力データは管理センタ装置３からの要求に応じて管理センタ装置３に伝送される。ここで、端末装置１のマイコン１０には無線制御部（例えば、モデム）１４を介して無線装置（例えば、携帯電話）２０が接続されており、車輛の位置情報およびセンサ２２の出力データが無線信号により車輛側から送出され、管理センタ装置３へ伝送される。なお、本参考例では、無線制御部１４および無線装置２０により通信手段が構成される。
【００１０】
管理センタ装置３には、無線装置２０から送出された無線信号を受信するために、無線装置（例えば、携帯電話）３１および無線制御部（例えば、モデム）３２が設けられ、無線制御部３２から出力されるデータが管理コンピュータ３０に入力されるようになっている。管理コンピュータ３０は適宜のソフトウェアを搭載したパーソナルコンピュータにより実現されている。
【００１１】
以上の説明から分かるように、車輛である移動体と管理センタ装置３との間では通信を行うために無線伝送路を用いているが、車輛の移動範囲の全域に設備を敷設するのは非常に面倒であるから専用の無線回線を用いる代わりに、既存の電話用の回線を流用するようにしてもよい。
【００１２】
ところで、端末装置１は、カードインタフェース１５を介してマイコン１０とＩＣカード２１との間でデータを授受可能としてある。ＩＣカード２１には車輛の現在位置（位置情報）やセンサ２２の出力データを書き込むだけではなく、端末装置１の識別情報（車輛や車輛の運転者などに関する識別情報）を予め書き込んでおき、識別情報を読み出すことができるようにしてある。つまり、ＩＣカード２１は識別情報登録手段として機能する。ここに、ＩＣカード２１には記憶装置１３よりも記憶容量の十分に大きいものが用いられる。なお、マイコン１０は、カードインタフェース１６を通して記憶装置１３の内容を定期的にＩＣカード２１に転送するようになっている。
【００１３】
また、記憶装置１３にはマイコン１０を動作させるプログラムが書き込まれており、ＧＰＳエンジン１２やセンサ２２からの出力データをマイコン１０で前処理した後に管理センタ装置３に伝送する構成として管理センタ装置３の管理コンピュータ３０での処理量を低減している。つまり、マイコン１０は前処理手段として機能することになる。
【００１４】
管理センタ装置３の管理コンピュータ３０には、大容量記憶装置（ハードディスクなど）を用いたＩＤコードマスタ（図示せず）が設けられ、上述の識別情報をキーとして車輛の詳細情報が関連付けられる。管理コンピュータ３０は車輛からのデータを順次格納する記憶手段も備えており、管理コンピュータ３０およびＩＤコードマスタにより管理手段が構成される。
【００１５】
次に、車輛に搭載した端末装置１と管理センタ装置３との動作手順について説明する。端末装置１では、車輛の現在位置を定期的に測位しており、ＧＰＳアンテナ１１およびＧＰＳエンジン１２により求めた車輛の現在位置はマイコン１０に入力される。マイコン１０では、ＧＰＳエンジン１２で車輛の現在位置（ＧＰＳデータ）が求められると、次に、その時点でのセンサ２２の出力データを取り込む。ここで、管理センタ装置３からデータの送信要求があり、無線信号によって識別情報が伝送されてくると、ＩＣカード２１に予め書き込まれている識別情報と照合する。管理センタ装置３から伝送された識別情報がＩＣカード２１に書き込まれている識別情報と一致すれば、ＧＰＳエンジン１２やセンサ２２からのデータに前処理を施し、車輛の運行目的などに応じたデータの形に加工する。加工されたデータは管理センタ装置３にただちに伝送されるのではなく、送信待ちの状態で記憶装置１３に一時的に格納される。
【００１６】
データが記憶装置１３に格納されると、マイコン１０は内蔵したタイマを起動する。記憶装置１３に一時的に格納されたデータがタイマによる時限時間内に管理センタ装置３に伝送されないときには記憶装置１３の記憶容量が確認され、次に発生するデータを格納する余裕があるか否かの確認がなされる。記憶容量に余裕があれば上述のＧＰＳデータが求められるステップに戻るが、記憶容量に余裕がないときには管理センタ装置３に対してデータの伝送を要求する。この要求に管理センタ装置３が応答して管理センタ装置３にデータを伝送することができたときには、記憶装置１３に格納された伝送済みのデータは消去される。また、管理センタ装置３にデータを伝送することができないときには、記憶装置１３からＩＣカード２１にデータが転送される。つまり、管理センタ装置３にデータが伝送されない場合でも、車輛が帰着してからＩＣカード２１を取り出して管理センタ装置３の管理コンピュータ３０に接続すれば、時刻毎の車輛の位置およびセンサ２２の出力データの時間変化を管理コンピュータ３０に記録することができる。
【００１７】
一方、管理センタ装置３では、必要に応じて各車輛の端末装置１を呼び出すのであって、対象車輛に搭載した端末装置１が識別情報を持っているときには、ＩＤコードマスタから識別情報を読み出して、上述のように端末装置１のＩＣカード２１に登録されている識別情報との照合処理を行なう。無線伝送路が正常であれば、照合処理後に車輛の端末装置１からの各種データが伝送されるから、管理コンピュータ３０に設けた記憶手段に設定した運転者別の管理ファイルに登録する。つまり、管理フィイルを読み出すことによって、時刻毎の車輛の位置やセンサ２２の出力データの履歴を見ることができ、運転者別の運行管理が可能になるのである。なお、本参考例では、ＩＣカード２１がメモリカードを構成している。
【００１８】
ところで、端末装置１は管理センタ装置３との間で無線通信を行う際に、当該端末装置１の専用の通信プロトコルを使用するようになっており、端末装置１から管理センタ装置３へ伝送される通信データは、図２に示すようなデータフォーマットを有している。すなわち、端末装置１から伝送される通信データは、先頭から、ヘッダ領域、データ領域、伝送誤りを検出するためのチェックサム領域の順に分割されている。データ領域には、図３に示すように、先頭から順に、通信の種別を識別するプロトコルＩＤ、端末装置１の通信プロトコルのバージョン番号（Ｖｅｒ番号）、データ部の容量、データが格納されている。ここにおいて、プロトコルＩＤは、例えば、端末装置１が記憶装置１３の内容を定期的（定期時間毎）に管理センタ装置３へ通信するようになっている場合、端末装置１が管理センタ装置３との自発的な通信の起動を中止したスリープモードであるときには「１」、定期時間毎の通信を行う定期通信モードであるときには「２」というような通信の種別の識別に用いる。なお、本参考例では、通信プロトコルのバージョン番号をデータ領域（データ部）に付加してあるが、バージョン番号はヘッダ領域（ヘッダ部）に付加するようにしてもよい。要するに、端末装置１から管理センタ装置３へ伝送する通信データのヘッダ部若しくはデータ部にバージョン番号を付加すればよい。
【００１９】
一方、管理センタ装置３の管理コンピュータ３０は、図４に示すように階層化されており、通信生データ部４１にて端末装置１から伝送された通信データ（生データ）を受信し、通信生データ部４１で受信した通信データを上位の通信ドライバ４２へ送信する。通信ドライバ４２は、通信データを読み取って通信データに含まれているデータを上位のアプリケーション層４３へ送信する際に、通信データに含まれているバージョン番号に相当するアプリケーションソフト（図示例では、アプリケーションソフト１若しくはアプリケーションソフト２）へデータを送信する。そして、通信ドライバ４２からデータが送信されたアプリケーションソフトによって管理コンピュータ３０のモニタ用ディスプレイへのデータの表示可能となる。
【００２０】
しかして、本参考例の車輛運行管理装置では、端末装置１から管理センタ装置３へ伝送する通信データのデータフォーマットの違いに応じたバージョン番号が当該通信データのデータ部に付加され、管理センタ装置３の管理手段では端末装置１から伝送されてくる通信データを当該通信データに付加されているバージョン番号に対応したデータフォーマットで読み取って取得するので、データフォーマットの異なる端末装置１からの通信データを１つの管理センタ装置３で管理することが可能になるのである。
【００２１】
（参考例２）
本参考例の車輛運行管理装置の基本構成は参考例１と略同じであって、主な相違点は、メモリカードたるＩＣカード２１に端末装置１から書き込まれたデータ（端末装置１にて取得したデータ）を端末装置１から管理センタ装置３へ伝送する際の通信データが図５に示すようなデータフォーマットを有している点である。すなわち、通信データは、先頭から順に、カード種別、バージョン番号（Ｖｅｒ番号）、データ１、データ２が格納されている。図５に示すデータフォーマットにおけるバージョン番号は、後述のメモリカード制御ドライバ５２（図６参照）にて予め書き込むようになっており、端末装置１の通信プロトコルのデータフォーマット毎に異なるバージョン番号を書き込んでいる。すなわち、ＩＣカード２１では接続されている端末装置１の通信プロトコルのデータフォーマット毎にバージョン番号が異なることになる。
【００２２】
ところで、本参考例では、参考例１で説明した管理コンピュータ３０が図６に示すように階層化されており、メモリカード生データ部５１にて端末装置１から伝送された通信データ（生データ）を受信し、メモリカード生データ部５１で受信した通信データを上位のメモリカード制御ドライバ５２へ送信する。メモリカード制御ドライバ５２は、通信データを読み取って通信データに含まれているデータを上位のアプリケーション層５３へ送信する際に、通信データに含まれているバージョン番号に相当するアプリケーションソフト（図示例では、アプリケーションソフト１若しくはアプリケーションソフト２）へデータを送信する。そして、メモリカード制御ドライバ５２からデータが送信されたアプリケーションソフトによって管理コンピュータ３０のモニタ用ディスプレイへのデータの表示可能となる。
【００２３】
しかして、本参考例の車輛運行管理装置では、端末装置１にカードインタフェース１５を介して接続されたＩＣカード２１に端末装置１の通信プロトコルのバージョン番号が書き込まれており、端末装置１が、ＩＣカード２１に端末装置１で取得したデータを書き込む機能を有し、管理手段が、ＩＣカード２１に書き込まれている端末装置１のデータを端末装置１から管理センタ装置３へ送信させる機能を有するので、データフォーマットの異なる端末装置１にて発生してＩＣカード２１に書き込まれたデータを１つの管理センタ装置３で把握することが可能になるのである。
【００２４】
（実施形態）
本実施形態の車輛運行管理装置の基本構成は参考例１と略同じであって、主な相違点は、メモリカードたるＩＣカード２１に端末装置１から書き込まれたデータ（端末装置１にて取得したデータ）を端末装置１から管理センタ装置３へ伝送する際の通信データが図７に示すようなデータフォーマットを有している点である。すなわち、通信データは、先頭から順に、カード種別、バージョン番号（Ｖｅｒ番号）、端末装置１が書き込むバージョン番号（Ｖｅｒ番号）、データ１、データ２が格納されている。
【００２５】
図７に示すデータフォーマットにおけるカード種別の次に格納されたバージョン番号（以下、第１バージョン番号と称す）は後述のメモリカード制御ドライバ５２（図８参照）にて予め書き込まれ、その次のバージョン番号（以下、第２バージョン番号）は端末装置１にて予め書き込まれるようになっている。ここにおいて、第１バージョン番号は、端末装置１の通信プロトコルのデータフォーマットの違いに応じた番号であり、第２バージョン番号は、端末装置１から管理センタ装置３へ伝送する通信データにおけるデータ部の意味付けを規約する番号である。すなわち、データフォーマットの異なる端末装置１間では第１バージョン番号が異なり、データの意味付けが異なる端末装置１間では第２バージョン番号が異なることになる。ここに、データの意味付けを異ならせるのは、例えば、ある車輛に搭載された端末装置１（以下、端末装置Ａと称す）ではセンサ２２として温度センサがセンサ用インタフェース１６に接続され、別の車輛に搭載された端末装置１（以下、端末装置Ｂと称す）ではセンサ２２として温度センサ以外のセンサがセンサ用インタフェース１６に接続されているような場合に、端末装置Ａから伝送される通信データに含まれるセンサ２２の出力データと端末装置Ｂから伝送される通信データに含まれるセンサ２２の出力データとではデータの持つ意味が異なることを区別するためである。
【００２６】
ところで、本実施形態では、参考例１で説明した管理コンピュータ３０が図８に示すように階層化されており、メモリカード生データ部５１にて端末装置１から伝送された通信データ（生データ）を受信し、メモリカード生データ部５１で受信した通信データを上位のメモリカード制御ドライバ５２へ送信する。メモリカード制御ドライバ５２は、通信データを読み取って通信データに含まれているデータを上位のアプリケーション層５３へ送信する際に、通信データに含まれている第１バージョン番号に相当するアプリケーションソフト（図示例では、アプリケーションソフト１若しくはアプリケーションソフト２）へデータを第２バージョン番号にて意味付けされたデータとして送信する。そして、メモリカード制御ドライバ５２からデータが送信されたアプリケーションソフトによって管理コンピュータ３０のモニタ用ディスプレイへのデータの表示可能となる。ここに、アプリケーションソフトでは、メモリカード制御ドライバ５２からのデータを温度データとして識別することになる。つまり、端末装置Ａと端末装置Ｂとで通信プロトコルのデータフォーマットが同じであっても、管理センタ装置３では、第２バージョン番号によってデータの意味付けを解釈することができる。
【００２７】
しかして、本実施形態の車輛運行管理装置では、端末装置１が、通信データにおけるデータ部の意味付けを規約するバージョン番号をＩＣカード２１に書き込む機能を有し、管理センタ装置３の管理手段が、データ部の意味付けを規約するバージョン番号に応じてデータ部を解釈する機能を有するので、ＩＣカード２１に記憶され端末装置１から伝送される通信データのデータフォーマットが同じであっても管理センタ装置３ではデータ部の意味付けを規約するバージョン番号に応じてデータ部の意味付けを解釈することが可能になるのである。
【００２８】
【発明の効果】
請求項１の発明は、車輛に搭載される端末装置に、ＧＰＳを用いて当該車輛の現在位置を測位する測位手段と、端末装置の識別情報が予め登録された識別情報登録手段と、測位手段により求めた車輛の現在位置を含むデータを無線伝送路を通して管理センタ装置に伝送する通信手段とを設け、各車輛それぞれの端末装置から伝送されたデータを識別情報毎に分類して記録する管理手段を管理センタ装置に設け、端末装置から伝送する通信データのデータフォーマットの違いに応じたバージョン番号を当該通信データのヘッダ部若しくはデータ部に付加し、管理手段は、端末装置から伝送されてくる通信データを当該通信データに付加されているバージョン番号に対応したデータフォーマットで読み取って取得するものであり、端末装置にはメモリカードとの間でデータを授受可能とするカードインタフェースが設けられ、メモリカードには当該メモリカードが接続されている端末装置のバージョン番号が書き込まれており、端末装置は、メモリカードにデータを書き込む機能と、通信データにおけるデータ部の意味付けを規約するバージョン番号をメモリカードに書き込む機能とを有し、管理手段は、メモリカードに書き込まれている端末装置のデータを端末装置から管理センタ装置へ送信させる機能と、前記データ部の意味付けを規約するバージョン番号に応じてデータ部を解釈する機能とを有し、端末装置から管理センタ装置に対し伝送するデータとして車輛の現在位置の他に、車輛の移動速度を検出する車速センサ、車輛のドアの開閉状態を検出するドアセンサによって検出される情報を含んでいる。この請求項１の発明では、端末装置から伝送する通信データのデータフォーマットの違いに応じたバージョン番号が当該通信データのヘッダ部若しくはデータ部に付加され、管理手段では端末装置から伝送されてくる通信データを当該通信データに付加されているバージョン番号に対応したデータフォーマットで読み取って取得するので、データフォーマットの異なる端末装置からの通信データを１つの管理センタ装置で管理することが可能になるという効果があり、端末装置から管理センタ装置に対し伝送するデータとして車輛の現在位置の他に、車輛の移動速度を検出する車速センサ、車輛のドアの開閉状態を検出するドアセンサによって検出される情報を含んでいるので、車輛の位置だけでなく車速センサおよびドアセンサの出力データの履歴を管理することが可能となるという効果がある。
【００２９】
また、請求項１の発明では、端末装置にはメモリカードとの間でデータを授受可能とするカードインタフェースが設けられ、メモリカードには当該メモリカードが接続されている端末装置のバージョン番号が書き込まれており、端末装置は、メモリカードにデータを書き込む機能を有し、管理手段は、メモリカードに書き込まれている端末装置のデータを端末装置から管理センタ装置へ送信させる機能を有するので、データフォーマットの異なる端末装置にて発生してメモリカードに書き込まれたデータを１つの管理センタ装置で把握することが可能になるという効果がある。
【００３０】
また、請求項１の発明では、端末装置は、通信データにおけるデータ部の意味付けを規約するバージョン番号をメモリカードに書き込む機能を有し、管理手段は、前記データ部の意味付けを規約するバージョン番号に応じて前記データ部を解釈する機能を有するので、メモリカードに記憶され端末装置から伝送される通信データのデータフォーマットが同じであっても管理センタ装置ではデータ部の意味付けを規約するバージョン番号に応じてデータ部の意味付けを解釈することが可能になるという効果がある。
【図面の簡単な説明】
【図１】  参考例１を示すブロック図である。
【図２】  同上における端末装置から管理センタ装置へ伝送される通信データのデータフォーマットの説明図である。
【図３】  同上における端末装置から管理センタ装置へ伝送される通信データのデータフォーマットの説明図である。
【図４】  同上における管理コンピュータの要部説明図である。
【図５】  参考例２におけるＩＣカードから読み出されるデータのデータフォーマットの説明図である。
【図６】  同上における管理コンピュータの要部説明図である。
【図７】  実施形態におけるＩＣから読み出されるデータのデータフォーマットの説明図である。
【図８】  同上における管理コンピュータの要部説明図である。
【符号の説明】
１  端末装置
３  管理センタ装置
１０  マイクロコンピュータ
１１  ＧＰＳアンテナ
１２  ＧＰＳエンジン
１３  記憶装置
１４  無線制御部
１５  カードインタフェース
２０  無線装置
２２  センサ
２１  ＩＣカード
３０  管理コンピュータ
３１  無線装置
３２  無線制御部
【図１】
0004103402.tif 000002
【図２】
0004103402.tif 000003
【図３】
0004103402.tif 000004
【図４】
0004103402.tif 000005
【図５】
0004103402.tif 000006
【図６】
0004103402.tif 000007
【図７】
0004103402.tif 000008
【図８】
0004103402.tif 000009